(57)【要約】【課題】多数のチャンネルが素早く選択できるようにしたテレビジョン放送受信装置を提供すること。【解決手段】複数チャンネル同時視聴時に選局操作が行なわれた場合、統括制御部１０により、Ａ系統チューナ部２及びＡ系統映像音声信号復号部３と、Ｂ系統チューナ部４及びＢ系統映像音声信号復号部５の２系統の受信回路の双方に対して同時に選局動作を行なわせるようにしたもの。【選択図】図１
2004320546.tif 000002
【特許請求の範囲】
【請求項１】
複数の受信回路を備え、複数のチャンネルが同時に視聴できるようにしたテレビジョン放送受信装置において、
順送りと逆送り選局操作が複数のチャンネルの同時視聴中に行なわれた場合、複数のチャンネルの画面に対して同時に選局動作が行なわれるように構成したことを特徴とするテレビジョン放送受信装置。
【請求項２】
複数の受信回路を備え、複数のチャンネルが同時に視聴できるようにしたテレビジョン放送受信装置において、
順送りと逆送り選局操作が複数のチャンネルの同時視聴中に行なわれた場合、複数のチャンネルの画面の全てに対して同時に選局動作が行なわれるように構成したことを特徴とするテレビジョン放送受信装置。
【請求項３】
請求項１又は請求項２に記載のテレビジョン放送受信装置において、
前記選局動作が行なわれた場合、前記複数のチャンネルの画面に重複が現われないように構成されていることを特徴とするテレビジョン放送受信装置。
【請求項４】
請求項１又は請求項２に記載のテレビジョン放送受信装置において、
過去に選局したチャンネルを記憶する手段を設け、複数チャンネル視聴時の選局操作に際して、過去に選局したチャンネルがスキップされるように構成したことを特徴とするテレビジョン放送受信装置。
【発明の詳細な説明】
【０００１】
【発明の属する技術分野】
本発明は、複数のチャンネルが同時に視聴できるようにしたテレビジョン放送受信装置に関する。
【０００２】
【従来の技術】
テレビジョン受像機に付与される機能は種々提案されているが、その一種に、複数のチャンネルを同時に視聴する機能があり、これが付与された製品も市場に数多く提供されている。
【０００３】
ここで、この機能が付与されたテレビジョン受像機では、例えば２系統の放送チャンネルを受信し、各チャンネルの画像を画像表示面に左右に並んで同時に表示するものである。
【０００４】
そして、この種の従来技術としては、複数の入力ソースを同一画面上に表示する際、各表示画面のアスペクト比を保ったまま有効サイズを最大にするテレビジョン放送受信機が知られている（例えば、特許文献１参照。）。
【０００５】
【特許文献１】
特開平５−３１６４４７号公報
【０００６】
【発明が解決しようとする課題】
上記従来技術は、チャンネル選局操作の利便性向上に配慮がされているとはいえず、以下の問題がある。
【０００７】
複数のチャンネルが同時に視聴できるようにしたテレビジョン放送受信装置においても、従来技術では、操作対象になるのは各操作毎に１画面であり、選局操作を行なったときは各画面毎に１画面だけがチャンネル切換えされるだけであった。
【０００８】
このため、次々とチャンネルを切換えていくような操作、いわゆるザッピング視聴操作や、現在放送中の番組をすばやく一覧したい場合においては、多数のチャンネルを一通り選局するまでにかなりの時間がかかってしまうという問題があった。
【０００９】
本発明は、上記のような状況に鑑みてなされたもので、その目的は、多数のチャンネルが素早く選択できるようにしたテレビジョン放送受信装置を提供することにある。
【００１０】
【課題を解決するための手段】
上記目的は、複数の受信回路を備え、複数のチャンネルが同時に視聴できるようにしたテレビジョン放送受信装置において、順送りと逆送り選局操作が複数のチャンネルの同時視聴中に行なわれた場合、複数のチャンネルの画面に対して同時に選局動作が行なわれるようにして達成される。
【００１１】
同じく、上記目的は、複数の受信回路を備え、複数のチャンネルが同時に視聴できるようにしたテレビジョン放送受信装置において、順送りと逆送り選局操作が複数のチャンネルの同時視聴中に行なわれた場合、複数のチャンネルの画面の全てに対して同時に選局動作が行なわれるようにして達成される。
【００１２】
ここで、前記選局動作が行なわれた場合、前記複数のチャンネルの画面に重複が現われないようにしても上記目的が達成される。
【００１３】
また、このとき過去に選局したチャンネルを記憶する手段を設け、複数チャンネル視聴時の選局操作に際して、過去に選局したチャンネルがスキップされるようにしても上記目的が達成される。
【００１４】
【発明の実施の形態】
以下、本発明によるテレビジョン放送受信装置について、図示の実施の形態により詳細に説明する。
【００１５】
図１は、本発明の一実施形態で、図示のように、この実施形態では、Ａ系統チューナ部２及びＡ系統映像音声信号復号部３と、Ｂ系統チューナ部４及びＢ系統映像音声信号復号部５の２系統の受信回路が備えてあり、これらがアンテナ１部に接続されている。
【００１６】
ここで、Ａ系統映像音声信号復号部３の出力とＢ系統映像音声信号復号部５の出力は何れも映像信号合成部６に供給され、ここで選択され、或いは合成された映像音声信号が図示してないテレビジョン受信回路の後段に供給され、表示装置に画像が再生されることになる。
【００１７】
このとき、Ａ系統チューナ部２とＡ系統映像音声信号復号部３にはＡ系統選局制御部１１が設けられ、Ｂ系統チューナ部４とＢ系統映像音声信号復号部５にはＢ系統選局制御部１２が設けられていて、これらが統括制御部１０により制御され、この結果、任意のチャンネルの放送が同時に２チャンネル受信されるようになっている。
【００１８】
そして、このとき、この統括制御部１０は、更に映像信号合成部６を制御し、これにより、一方のチャンネルの画像が表示装置の画像表示面にそのまま一画面として表示される通常のテレビジョン受像機と同じ通常表示動作と、各チャンネルの画像が表示装置の画像表示面に左右に並んで同時に表示される、いわゆる複数画面表示動作が任意に得られるように、映像信号合成部６による映像信号の合成処理を選択させる。
【００１９】
ここで、この実施形態でも、テレビジョン放送受信装置の操作にはリモコン７が用いられ、このためリモコン受光部８が設けられていて、通常のテレビジョン受像機と同様、チャンネル切換などの一般的な動作が遠隔操作できるようにしてある。
【００２０】
この実施形態では、更に画面状態判定部９が設けてあり、この画面状態判定部９の出力により画面状態制御部１０が制御され、リモコン７により、上記した通常表示動作と複数画面表示動作が選択できるようになっている。
【００２１】
次に、この実施形態の動作について説明すると、まずアンテナ部１に入感した電波はＡ系統チューナ部２とＢ系統チューナ部４で同時に選択受信され、この結果、Ａ系統映像音声信号復号部３とＢ系統映像音声信号復号部５から各々のチャンネルの映像音声信号が出力される。
【００２２】
このとき、複数画面表示動作が選択され、複数画面による視聴が行われていたとすると、この場合、統括制御部１０により映像信号合成部６が制御され、複数画面表示動作が得られるように複数の画面を合成し、図示してない表示装置に出力している。
【００２３】
そこで、いま、リモコン７により視聴者から順送り選局動作が指示されたとすると、この場合、まず、画面状態判定部９は、現在の画面表示状態を判定し、複数画面表示動作状態になっていた場合には、統括制御部１０は、選局制御部１１と選局制御部１２の双方に指示を行ない、Ａ系統とＢ系統の双方の順送り選局を実行する。
【００２４】
次に、このときの選局動作について説明すると、このときは複数画面表示動作状態なので、図２と図３に示すように、異なったチャンネルの画面が左右に並んで表示されている。そして、このときは左の画面でチャンネル１（ＣＨ１）を視聴していて、右の画面ではチャンネル３（ＣＨ３）視聴していたとする。
【００２５】
そこで、いま、この状態で視聴者が順送り選局動作を行なったとすると、左画面ではチャンネル１を視聴中なので、順送りされて次のチャンネル２（ＣＨ２）を選局し、画面はチャンネル２の画像に変わる。同様に、右画面においては視聴中のチャンネル３の次のチャンネル４（ＣＨ４）に変わる。
【００２６】
従って、この実施形態では、図２の視聴中に順送り選局したとすると、図３に示すように、左の画面ではチャンネル２の画像が、右の画面ではチャンネル４の画像が表示されることになる。
【００２７】
従って、この実施形態によれば、１回の順送り選局操作で画面に表示されている左右の画像チャンネルが同時に順送り選局され、この結果、高速でザッピング視聴が得られ、現在放送中の番組も短時間で全てのチャンネルにわたって簡単に一覧することができる。
【００２８】
なお、以上の説明では、チャンネル番号が１から増加して行く方向の送り、つまり順送り選局の場合について説明したが、減少して行く方向の順送り選局、つまり逆送りの場合についても同じであることはいうまでもなく、このときは、例えば図３の状態で順送り選局した場合、図２の状態に変わることになる。
【００２９】
また、以上の実施形態では、複数画面表示動作における画面数が２画面の場合について説明したが、同時視聴可能な画面の数には特に制限はなく、任意の画面数により実施可能なことは明白である。
【００３０】
ところで、上記した実施形態では、順送り選局操作が行なわれたとき、全ての画面について同時に順送り選局動作を行なわせるようになっているが、これに代えて、選局を行なう画面と選局を行なわない画面とに分けて制御するようにして実施してもよい。
【００３１】
通常、テレビジョン放送の選局にはある程度の時間を要し、その間は映像音声が視聴できないが、上記の画面を分けて制御するようにした実施形態によれば、このような場合でも他の画面が表示されたままで番組が視聴できるため、操作性が向上する。
【００３２】
また、上記した実施形態の場合、例えば左画面でチャンネル１、右画面ではチャンネル２を視聴中に選局操作を行なったとすると、結果として左画面ではチャンネル２が選局され、右画面ではチャンネル３が選局されることになる。
【００３３】
そうすると、この場合は、選局操作前に表示されていたチャンネル２が選局操作後も別の画面に表示されるため、画面に重複が現われ、いくらか利便性が損なわれる虞れがある。
【００３４】
そこで、過去に選局したチャンネルを記憶する手段を設け、一定回数の過去に選局したチャンネルはスキップするようにして実施してもよい。
【００３５】
この実施形態の場合、例えば、前述と同じく左画面でチャンネル１、右画面ではチャンネル２を視聴中に選局操作を行なったとすると、このときチャンネル２は右画面で視聴中であるため、すなわち、過去に選局済みであるためスキップされ、チャンネル３が選局される。
【００３６】
同様に、右画面においても、現在視聴中のチャンネル２の次のチャンネル３を選局しようとするが、このときチャンネル３は左画面での選局対象となっているのでスキップされ、更にその次のチャンネル４が選局されることになり、結果として、左画面ではチャンネル３、右画面ではチャンネル４が選局されることになる。
【００３７】
従って、このスキップ方式の実施形態によれば、一度見たチャンネルはしばらくの間、選局対象から外されるため、多数のチャンネルの視聴時に利便性が向上する。
【００３８】
【発明の効果】
本発明によれば、複数のチャンネルが同時に視聴できるテレビジョン放送受信装置でありながら、多数のチャンネルを素早く選択することができるので、多くのチャンネルを視聴するのに必要な時間が短縮され、極めて高い利便性を得ることができる。
【図面の簡単な説明】
【図１】本発明によるテレビジョン放送受信装置の一実施形態を示す機能ブロック図である。
【図２】本発明の一実施形態による複数チャンネル視聴中の画面表示状態を示す説明図である。
【図３】本発明の一実施形態による複数チャンネル視聴中の他の画面表示状態を示す説明図である。
【符号の説明】
１  アンテナ
２  Ａ系統チューナ部
３  Ａ系統映像音声信号復号部
４  Ｂ系統チューナ部
５  Ｂ系統映像音声信号復号部
６  映像信号合成部
７  リモコン
８  リモコン受光部
９  画面状態判定部
１０  統括制御部
１１  Ａ系統選局制御部
１２  Ｂ系統選局制御部
【図１】
2004320546.tif 000003
【図２】
2004320546.tif 000004
【図３】
2004320546.tif 000005